(57)【要約】【課題】ＣＣＤカラーイメージセンサにおいて、光電変換素子での不要電荷の溢れを防止する。【解決手段】ＣＣＤカラーイメージセンサを備えた画像入力装置は、色ごと（Ｒ，Ｇ，Ｂ）に設けられた光電変換素子に蓄積された出力信号として取り出される有効電荷をシフトゲートを開通させてシフトレジスタへ転送する転送手段と、再び光電変換素子が有効電荷の蓄積を開始する直前に、色に応じて異なるタイミングでシフトゲートを開通させて光電変換素子に蓄積している不要電荷を廃棄する廃棄手段とを備えている。廃棄手段は、有効電荷の蓄積の直前に不要電荷を廃棄するほか、光電変換素子で不要電荷が溢れる前にシフトゲートを開通させて不要電荷を廃棄する。【選択図】図６
2007158500.tif 000002
【特許請求の範囲】
【請求項１】
ＣＣＤカラーイメージセンサを備えた画像入力装置であって、
光電変換素子に蓄積された出力信号として取り出される有効電荷をシフトゲートを開通させてシフトレジスタへ転送する転送手段と、
再び前記光電変換素子が有効電荷の蓄積を開始する直前に、前記シフトゲートを開通させて前記光電変換素子に蓄積している不要電荷を前記シフトレジスタに転送し廃棄する廃棄手段とを備え、
前記廃棄手段は、さらに、
前記光電変換素子で不要電荷が溢れる前に前記シフトゲートを開通させて当該不要電荷を廃棄する
ことを特徴とする画像入力装置。
【請求項２】
請求項１において、
有効電荷の蓄積の直前に不要電荷を廃棄するタイミングは、前記光電変換素子のフィルタの色ごとに異なる
ことを特徴とする画像入力装置。
【請求項３】
請求項１において、
前記有効電荷が前記シフトレジスタへ転送された後に初めて行う前記不要電荷の廃棄は、
前記有効電荷が前記シフトレジスタから出力された後である
ことを特徴とする画像入力装置。
【請求項４】
請求項１において、
不要電荷の廃棄後、さらに不要電荷の廃棄を行う場合、
先に廃棄された不要電荷が前記シフトレジスタから出力された後に、次の不要電荷の廃棄を行う
ことを特徴とする画像入力装置。
【請求項５】
請求項１において、
不要電荷の廃棄後、さらに不要電荷の廃棄を行う場合の間隔は、
有効電荷が前記シフトレジスタへ転送された後に初めて行う不要電荷の廃棄までの時間に比べて短い
ことを特徴とする画像入力装置。
【請求項６】
請求項１において、
前記廃棄手段は、
前記光電変換素子で電荷が溢れるまでの時間、および前記シフトレジスタからの電荷の出力が完了するまでの時間を用いて、
前記不要電荷を廃棄する回数及びタイミングを決定する
ことを特徴とする画像入力装置。
【請求項７】
ＣＣＤカラーイメージセンサを備えた画像入力装置であって、
光電変換素子からシフトレジスタへの電荷の転送を制御するシフトゲートに対して、
光電変換素子に蓄積された出力信号として取り出される有効電荷をシフトレジスタに転送するための第１の制御信号と、
有効電荷の転送後に前記光電変換素子で蓄積された不要電荷が溢れる前に当該不要電荷を前記シフトレジスタに転送する第２の制御信号と、
再び前記光電変換素子が有効電荷を蓄積を開始する直前に、当該光電変換素子に蓄積している不要電荷を前記シフトレジスタに転送する第３の制御信号とを送る
ことを特徴とする画像入力装置。
【発明の詳細な説明】
【技術分野】
【０００１】
本発明は、ＣＣＤカラーイメージセンサを備えた画像入力装置に関する。
【背景技術】
【０００２】
撮像デバイスとしてＣＣＤカラーイメージセンサを備えた画像入力装置がある（特許文献１参照）。ＣＣＤカラーイメージセンサは、例えば、図３に示すように、三原色（Ｒ（Red），Ｇ（Green），Ｂ（Blue））の色ごとに、複数の光電変換素子２０１とシフトレジスタ２０３とを備える。光電変換素子２０１には、Ｒ、Ｇ、Ｂの所定色のフィルタが設けられている。光電変換素子２０１は、フィルタの透過光を受光して、その受光量に応じた電荷を蓄積する。光電変換素子２０１で蓄積された電荷は、シフトゲート２０２の開通により、シフトレジスタ２０３に転送される。シフトレジスタ２０３は、その転送された電荷をＣＣＤにより出力部２０４に転送する。
【０００３】
このようなＣＣＤカラーイメージセンサを搭載した画像入力装置（例えば、イメージスキャナ、複写機等）は、ネガフィルム、ポジフィルム等の光透過性シートに記録された像（以下、「透過原稿」という）や印刷用紙、印画紙等の光反射性シートに記録された像（以下、「反射原稿」という）を読み取ることができる。
【０００４】
ここで、ネガフィルムなどの透過原稿を読み取る場合について説明する。図８は、Ｒ、Ｇ、Ｂの各色に対応する各シフトゲート２０２を開通するために印加されるパルス（「シフトゲートパルス」という）のタイミングチャートである。各シフトゲート２０２には、出力信号として取り出される電荷（「有効電荷」という）３１１を転送するために、定期的に、シフトゲートパルス３０１が印加される。
【０００５】
一方で、ネガフィルムにおける三原色の透過率は一律ではなく、Ｂ＜Ｇ＜Ｒの順である。そこで、有効電荷３１１の蓄積時間をＢ＞Ｇ＞Ｒの順に調整し、三原色の入射光量をほぼ等しくするために、有効電荷３１１の蓄積開始のタイミングを、Ｂ、Ｇ、Ｒの順に早くすることが行われる。具体的には、有効電荷３１１の蓄積前に蓄積されている電荷（「不要電荷」という）３１２を廃棄するためのシフトゲートパルス３０２を、Ｂ、Ｇ、Ｒの順に時間をずらして印加する。これにより、有効電荷３１１の蓄積時間を、Ｂ＞Ｇ＞Ｒの順に調整でき、入射光量を均等にすることができる。
【０００６】
【特許文献１】特開２００３−１６３７８８号公報
【発明の開示】
【発明が解決しようとする課題】
【０００７】
しかし、シフトゲートパルスの印加のタイミングを図８で示したようにした場合、光電変換素子２０１で不要電荷が溢れることがある。図９に、図８に示したタイミングでシフトゲートパルスが印加された場合における光電変換素子２０１の電荷の蓄積量を示す。なお、読み取り対象のネガフィルムは、三原色を同程度含むものとする。上述のように、有効電荷３１１の蓄積時間が調整され、入射光量がほぼ等しくなるので、有効電荷の蓄積量（図９において、「１」）は、Ｒ、Ｇ、Ｂの間で同じとすることができる。一方、不要電荷３１２の蓄積量は、蓄積時間と透過率の影響から、Ｒ＞Ｇ＞Ｂの順となる（図９において、それぞれ「３」、「１」、「１／３」）。このとき、Ｒが最も不要電荷の蓄積量が多いことになるが、不要電荷の蓄積量が、光電変換素子２０１の電荷蓄積許容量を超えると、電荷が溢れてしまう。図９では、光電変換素子２０１の電荷蓄積許容量が３未満の場合、電荷が溢れることになる。光電変換素子２０１で電荷が溢れると、他の画素に影響を及ぼし、スミアなどの原因となる。
【０００８】
本発明は、上記課題を解決すべくなされたものであり、ＣＣＤカラーイメージセンサにおいて、光電変換素子での不要電荷の溢れを防止することを目的とする。
【課題を解決するための手段】
【０００９】
上記の目的を達成するため、本発明の第１は、
ＣＣＤカラーイメージセンサを備えた画像入力装置であって、
光電変換素子に蓄積された出力信号として取り出される有効電荷をシフトゲートを開通させてシフトレジスタへ転送する転送手段と、
再び前記光電変換素子が有効電荷の蓄積を開始する直前に、前記シフトゲートを開通させて前記光電変換素子に蓄積している不要電荷を前記シフトレジスタに転送し廃棄する廃棄手段とを備えている。そして、
前記廃棄手段は、さらに、
前記光電変換素子で不要電荷が溢れる前に前記シフトゲートを開通させて当該不要電荷を廃棄する。
【００１０】
また、有効電荷の蓄積の直前に不要電荷を廃棄するタイミングは、前記光電変換素子のフィルタの色ごとに異なるようにすることができる。
【００１１】
また、前記有効電荷が前記シフトレジスタへ転送された後に初めて行う前記不要電荷の廃棄は、前記有効電荷が前記シフトレジスタから出力された後であるのが好ましい。
【００１２】
また、不要電荷の廃棄後、さらに不要電荷の廃棄を行う場合、先に廃棄された不要電荷が前記シフトレジスタから出力された後に、次の不要電荷の廃棄を行うのが好ましい。
【００１３】
また、不要電荷の廃棄後、さらに不要電荷の廃棄を行う場合の間隔は、有効電荷が前記シフトレジスタへ転送された後に初めて行う不要電荷の廃棄までの時間に比べて短いのが好ましい。
【００１４】
また、前記廃棄手段は、前記光電変換素子で電荷が溢れるまでの時間、および前記シフトレジスタからの電荷の出力が完了するまでの時間を用いて、前記不要電荷を廃棄する回数及びタイミングを決定するようにしてもよい。
【００１５】
本発明の第２は、ＣＣＤカラーイメージセンサを備えた画像入力装置であって、
光電変換素子からシフトレジスタへの電荷の転送を制御するシフトゲートに対して、
光電変換素子に蓄積された出力信号として取り出される有効電荷をシフトレジスタに転送するための第１の制御信号と、
有効電荷の転送後に前記光電変換素子で蓄積された不要電荷が溢れる前に当該不要電荷を前記シフトレジスタに転送する第２の制御信号と、
再び前記光電変換素子が有効電荷を蓄積を開始する直前に、当該光電変換素子に蓄積している不要電荷を前記シフトレジスタに転送する第３の制御信号とを送る。
【発明を実施するための最良の形態】
【００１６】
以下に、本発明の一実施形態について説明する。
【００１７】
図１は、本発明の画像入力装置の一例であるイメージスキャナ１０の概略構成図を示す。
【００１８】
イメージスキャナ１０は、筐体１２の上面に原稿台１４を備えたいわゆるフラットベッド型イメージスキャナである。
【００１９】
原稿台１４はガラス板等の透明板で形成され、その盤面上に原稿Ｍが載置される。原稿台１４の周縁部には、原稿台１４の盤面上に原稿Ｍを位置決めするための原稿ガイド１６が設けられている。
【００２０】
光学系３０は、透過原稿用光源３８、反射原稿用光源２２、ミラー３４、集光レンズ３６等から構成されている。透過原稿用光源３８はいわゆる面光源装置である。反射原稿用光源２２は蛍光管ランプ等の管照明から構成され、主走査方向に延びる姿勢でキャリッジ２４に搭載されている。鎖線で示すように、透過原稿用光源３８に照射された透過原稿Ｍの透過光像及び反射原稿用光源２２に照射された反射原稿Ｍの反射光像はミラー３４、集光レンズ３６等によりＣＣＤカラーイメージセンサ２０に結像される。
【００２１】
ＣＣＤカラーイメージセンサ２０は、受光した光を光電変換して得られる電荷を所定時間蓄積し受光量に応じた電気信号を出力する。本実施例で使用するＣＣＤカラーイメージセンサ２０はレンズ縮小型のリニアイメージセンサであるが、密着型のリニアイメージセンサや密着型エリアイメージセンサを用いてもよい。
【００２２】
ＣＣＤカラーイメージセンサ２０は複数の光電変換素子２０１が、図１において紙面垂直方向に直線状に並ぶ姿勢でキャリッジ２４に搭載されている。光電変換素子２０１の並列方向が主走査方向である。
【００２３】
キャリッジ２４は、原稿台ガラス１４の盤面と平行に往復移動自在に筐体１２に収容されている。キャリッジ２４は光学系３０とＣＣＤカラーイメージセンサ２０を搭載している。キャリッジ２４は原稿台ガラス１４の盤面に対し平行なガイド用のシャフト等にスライド自在に係止されている。ガイド用のシャフトの長手方向軸は、ａ方向に延伸している。キャリッジ２４は例えばベルトにより牽引されてＣＣＤカラーイメージセンサ２０及び光学系３０をａ方向に運搬する。
【００２４】
図２はイメージスキャナ１０の機能ブロック図である。主走査駆動部１０２は、ＣＣＤカラーイメージセンサ２０を駆動するために必要なパルスを生成し、ＣＣＤカラーイメージセンサ２０に出力する。主走査駆動部１０２は、例えば同期信号発生器、駆動用タイミングジェネレータ等から構成される。
【００２５】
副走査駆動部２６は、キャリッジ２４に係止されたベルト、このベルトを回転させるモータ及び歯車列、駆動回路等を備えている。副走査駆動部２６がキャリッジ２４をベルトで牽引することで、図１の紙面垂直方向に延びる主走査線がそれに垂直なａ方向に移動するため２次元画像の走査が可能となる。
【００２６】
信号処理部１００は、アナログ信号処理部１０４、Ａ／Ｄ変換器１０６及びディジタル信号処理部１０８等から構成されている。アナログ信号処理部１０４は、ＣＣＤカラーイメージセンサ２０から出力されたアナログ表現の電気信号に対して増幅、雑音低減処理等のアナログ信号処理を施し、処理された信号をＡ／Ｄ変換器１０６に出力する。Ａ／Ｄ変換器１０６は、アナログ信号処理部１０４から出力されたアナログ表現の電気信号を所定階調のディジタル表現の画像信号に量子化し、その画像信号をディジタル信号処理部１０８に出力する。ディジタル信号処理部１０８は、Ａ／Ｄ変換器１０６から出力された画像信号に対しシェーディング補正、ガンマ補正、画素補間等の各種の処理を施し、画像処理装置１５０へ転送する画像データを生成する。尚、ディジタル信号処理部１０８で施す各種の処理は、制御部１１０又は画像処理装置１５０で実行するコンピュータプログラムによる処理に置き換えてもよい。
【００２７】
制御部１１０はＣＰＵ１３０、ＲＡＭ１３２及びＲＯＭ１３４を備えるマイクロコンピュータで構成され、光源３８，２２の駆動回路、主走査駆動部１０２、副走査駆動部２６、信号処理部１００等にバスで接続されている。この制御部１１０は、画像処理装置１５０からの指令に応じてＲＯＭ１３４に記憶されたコンピュータプログラムを実行し、光源３８，２２、主走査駆動部１０２、副走査駆動部２６、信号処理部１００等を制御する。
【００２８】
イメージスキャナ１０は以上説明した各要素の他に、制御部１１０にバスで接続されたインターフェイス（Ｉ／Ｆ）１４０を備えている。Ｉ／Ｆ１４０にはパーソナルコンピュータ等の画像処理装置１５０を接続可能であり、制御部１１０は処理部１００から出力される画像データをＩ／Ｆ１４０を介して画像処理装置１５０に転送する。
【００２９】
図３はＣＣＤカラーイメージセンサ２０の構造を示す模式図である。ＣＣＤカラーイメージセンサ２０は、直線的に延伸し互いに並列するセンサ部２００Ｒ、２００Ｇ、２００Ｂを同一チップ上に３列有し、各センサ部２００Ｒ、２００Ｇ、２００Ｂに、それぞれＲ（Red）、Ｇ（Green）、Ｂ（Blue）のフィルタアレイをオンチップで形成した構造である。
【００３０】
ＣＣＤカラーイメージセンサ２０の各色のセンサ部２００Ｒ、２００Ｇ、２００Ｂは、それぞれ、複数の光電変換素子２０１、シフトゲート２０２、シフトレジスタ２０３と、出力部２０４とを備える。
【００３１】
複数の光電変換素子２０１は、各センサ部２００Ｒ、２００Ｇ、２００Ｂにおいてその延伸方向に直線状に並んでいる。各光電変換素子２０１の受光面上には、Ｒ、Ｇ、Ｂいずれかのフィルタアレイを構成するカラーフィルタが設けられている。各光電変換素子２０１は例えばフォトダイオードであり、カラーフィルタの透過光を受光し受光量に応じた電荷を光電変換により生成し所定時間蓄積する。
【００３２】
シフトゲート２０２は、光電変換素子２０１で生成される電荷をシフトレジスタ２０３に転送するか、光電変換素子２０１に蓄積させるかを制御する。シフトゲート２０２は、光電変換素子２０２の列に沿って主走査方向軸に平行に延びる姿勢で設けられている。シフトゲート２０２には、主走査駆動部１０２によりシフトゲートパルスを印加可能である。シフトゲート２０２は、シフトゲートパルスが印加されるときポテンシャルの傾きを形成して開通し、光電変換素子２０１で生成される電荷をシフトレジスタ２０２に転送する。シフトゲートパルスが印加されないときシフトゲート２０２は遮断され、それにより、光電変換素子２０１で生成される電荷が光電変換素子２０１に蓄積される。
【００３３】
シフトレジスタ２０３は、シフトゲート２０２を通じて転送された光電変換素子２０１で生成される電荷を出力部２０４に転送する。シフトレジスタ２０３は、シフトゲート２０２に隣接し主走査方向軸に平行に延びる姿勢で設けられている。シフトレジスタ２０３の複数の電極には、主走査駆動部１０２により駆動パルスを印加可能である。シフトレジスタ２０３は、駆動パルスの印加に応答して電荷を転送する。電荷の転送方向はシフトレジスタ２０３の延伸方向に一致している。
【００３４】
出力部２０４は、シフトレジスタ２０３から転送される電荷を電気信号に変換して出力する。出力部２０４は、シフトレジスタ２０３の電荷転送方向側端部に設けられている。主走査駆動部１０２からのパルスの印加に応じ、出力部２０４にはシフトレジスタ２０３から電荷が転送され、出力部２０４は、電荷に応じた電気信号を信号処理部１００に出力する。尚、出力部２０４では、信号処理部１００で画像信号として取り出すべき信号であるか否かを取捨選択する。画像信号として選択される信号の元となる電荷が有効電荷（信号電荷）であり、画像信号として選択されない信号の元となる電荷が不要電荷である。
【００３５】
次に、主走査駆動部１０２によるＣＣＤカラーイメージセンサ２０の駆動方法を説明する。ここでは、ネガフィルムなどの透過原稿を読み取る場合について説明する。
【００３６】
本実施形態では、光電変換素子２０１での不要電荷の溢れを防止するために、不要電荷が溢れる前に、シフトゲート２０２にシフトゲートパルスを印加し、不要電荷を廃棄する。
【００３７】
図４は、センサ部２００Ｒ、２００Ｇ、２００Ｂに印加されるシフトゲートパルスのタイミングチャートである。
【００３８】
主走査駆動部１０２は、上述のように、Ｒ、Ｇ、Ｂの各シフトゲート２０２に、有効電荷３１１の転送のためのシフトゲートパルス３０１を定期的に印加する。なお、主走査駆動部１０２は、このシフトゲートパルス３０１を、Ｒ、Ｇ、Ｂの各シフトゲート２０２に対して、同じタイミングで印加する。シフトゲートパルス３０１により、各光電変換素子２０１に蓄積された有効電荷３１１は、シフトレジスタ２０３に転送される。シストレジスタ２０３に転送された１ライン分の電荷は、ＣＣＤにより出力部２０４に転送される。
【００３９】
また、上述したように、ネガフィルムの三原色の透過率は一律ではなく、Ｂ＜Ｇ＜Ｒの順である。そこで、入射光量を均等にすべく、主走査駆動部１０２は、有効電荷３１１の蓄積前に蓄積されている不要電荷３１２を廃棄するためのシフトゲートパルス３０２を、Ｒ、Ｇ、Ｂの各色に応じて、所定のタイミングで印加する。
【００４０】
さらに、主走査駆動部１０２は、光電変換素子２０１での不要電荷の溢れを防止すべく、不要電荷の廃棄のためのシフトゲートパルス３０３を、シフトゲートパルス３０２の前に印加する。すなわち、主走査駆動部１０２は、電荷の溢れが生じる可能性がある光電変換素子２０１のシフトゲート２０２に対して、有効電荷３１１の蓄積開始の直前の不要電荷３１２の廃棄のためのシフトゲートパルス３０２とは別に、不要電荷３１３の廃棄のためのシフトゲートパルス３０３を印加する。
【００４１】
Ｒの色に対応する光電変換素子２０１には、不要電荷の蓄積時間が長く、透過率も高いために、不要電荷が最も多く蓄積する。そこで、Ｒの色に対応するセンサ２００Ｒにシフトゲートパルス３０３を印加する場合について説明する。
【００４２】
ＣＣＤによる電荷の転送時間を考慮すると、シフトゲートパルスの間隔は、１ラインの電荷読み出し時間より長くする必要がある。また、シフトゲートパルスの間隔は、光電変換素子２０１の最大電荷蓄積時間αよりも短くする必要がある。なお、最大電荷蓄積時間αは、蓄積される電荷が溢れるまでの時間であり、光電変換素子２０１の電荷蓄積許容量と入射光量から求めることができる。
【００４３】
図５を用いて、これらの条件を満たすように、不要電荷の廃棄のために印加されるシフトゲートパルスの回数とそのタイミングを決定する方法について説明する。
【００４４】
主走査駆動部１０２は、各色について、適切な有効電荷の蓄積時間ｔ（ａｃｃ）を設定する（Ｓ１０）。なお、各色についての適切な有効電荷の蓄積時間ｔ（ａｃｃ）は、光電変換素子２０１への入射光量がほぼ同じになるように予め定められている。
【００４５】
次に、主走査駆動部１０２は、不要電荷の廃棄のために印加されるシフトゲートパルスの回数を決定する（Ｓ２０）。具体的には、不要電荷蓄積時間ｔ（ｗａｓｔｅ）を、光電変換素子２０１の最大電荷蓄積時間αで除して切り上げ、その結果を印加する回数ｎとする。なお、不要電荷蓄積時間ｔ（ｗａｓｔｅ）は、定期的に印加される有効電荷の転送のためのシフトゲートパルス３０１の間隔から、有効電荷蓄積時間ｔ（ａｃｃ）を差し引いた時間である。
【００４６】
次に、主走査駆動部１０２は、不要電荷の廃棄のためのシフトゲートパルスの印加タイムングを決定する（Ｓ３０）。
【００４７】
図４のＲのタイミングチャートを用いて、電荷溢れの防止のためにシフトゲートパルス３０３が１回印加される場合について説明する。
【００４８】
なお、変数は下記の意味を表す。
ｔ１：シフトゲートパルス３０３によって分割される最初の不要電荷３１３の蓄積時間
ｔ２：シフトゲートパルス３０３によって分割される２番目の不要電荷３１２の蓄積時間
ｔ（ｉｎｖａｌｉｄ）：１ライン分の不要電荷の読み出し（廃棄）時間
ｔ（ｖａｌｉｄ）：１ライン分の有効電荷の読み出し（転送）時間
有効電荷の転送用のシフトゲートパルス３０１と、不要電荷の廃棄用のシフトゲートパルス３０３との間隔ｔ１は、有効電荷の転送時間ｔ（ｖａｌｉｄ）より長い必要がある。
【００４９】
また、不要電荷の廃棄用のシフトゲートパルス３０３と、次に不要電荷の廃棄用のシフトゲートパルス３０２との間隔ｔ２は、不要電荷の廃棄時間ｔ（ｉｎｖａｌｉｄ）より長い必要がある。
【００５０】
よって、ｔ１≧ｔ（ｖａｌｉｄ）で、かつｔ２≧ｔ（ｉｎｖａｌｉｄ）となる必要がある。
【００５１】
また、各シフトゲートパルス３０１、３０３、３０２の間隔は、光電変換素子２０１の最大電荷蓄積時間αよりも短くする必要があるので、ｔ１≦α、ｔ２≦αである必要がある。
【００５２】
主走査駆動部１０２は、これらの式を満たすように、シフトゲートパルス３０３の印加タイミングを決定する。
【００５３】
すなわち、有効電荷の転送用のシフトゲートパルス３０１の印加後から初めて印加される１つ目のシフトゲートパルス３０３までの時間は、有効電荷の転送時間ｔ（ｖａｌｉｄ）より長くなる。また、不要電荷の廃棄のためのシフトゲートパルス３０２、３０３の間隔は、不要電荷の廃棄時間ｔ（ｉｎｖａｌｉｄ）よりも長くなる。
【００５４】
なお、ここでは、不要電荷の読み出し（廃棄）時間ｔ（ｉｎｖａｌｉｄ）と、有効電荷の読み出し（転送）時間ｔ（ｖａｌｉｄ）とが異なる場合があることに配慮して説明した。これは、不要電荷の読み出し（廃棄）には、有効電荷の読み出しのように信号出力をサンプリングする必要がないので高速に処理を行うことができることがあるからである。すなわち、不要電荷の廃棄を高速処理するようにすれば、下記式
ｔ（ｉｎｖａｌｉｄ）＜ｔ（ｖａｌｉｄ）  が成り立つ。
【００５５】
かかる場合、ｔ２の最短条件を緩和できる。すなわち、ｔ２の時間を短縮することができる。
【００５６】
図６は、Ｒのシフトゲート２０１に対して、電荷の溢れを防止するために、不要電荷の廃棄のためのシフトゲートパルス３０３が２つ追加された場合の例を示す。
【００５７】
図７は、図６のようにシフトゲートパルスが印加された場合の光電変換素子２０１に蓄積される電荷量を示す。なお、光電変換素子２０１の電荷蓄積許容量は「２」であるとする。
【００５８】
図示するように、不要電荷蓄積時間が最も長く、また透過率の大きいＲにおいても、不要電荷３１３、３１２は、「１」を超えて蓄積される前にシフトゲートパルス３０３、３０２によって廃棄される。したがって、電荷の溢れを防止することができる。
【００５９】
以上、本発明の一実施形態について説明した。
【００６０】
上記実施形態によれば、ＣＣＤカラーイメージセンサにおいて、光電変換素子での電荷の溢れを防止できる。そして、スミアなどの発生を抑制することができる。
【００６１】
本発明は、上記実施形態に制限されない。上記実施形態は、本発明の技術的思想の範囲内で様々な変形が可能である。
【００６２】
例えば、上記の実施形態では、Ｒについて不要電荷を廃棄するためのシフトゲートパルスを追加する場合について説明したが、他の色（Ｇ，Ｂ）についても、電荷の溢れの可能性がある場合、不要電荷の廃棄のためのシフトゲートパルスを追加するようにしてもよい。
【００６３】
また、上記の実施形態では、透過原稿を読み取る場合について説明したが、反射原稿を読み取る場合に本発明を適用してもよい。反射原稿の場合、不要電荷蓄積時間が長くなるＢのシフトゲート２０２に不要電荷の廃棄のためのシフトゲートパルスを追加するようにしてもよい。
【００６４】
また、本発明は、三原色（ＲＧＢ）を読み取るＣＣＤカラーイメージセンサに限定されない。ＹＭＣ色を読み取るＣＣＤカラーイメージセンサについても適用することができる。
【図面の簡単な説明】
【００６５】
【図１】イメージスキャナの概略構成図。
【図２】機能ブロック図。
【図３】ＣＣＤカラーイメージセンサの概略構成図。
【図４】シフトゲートパルスのタイミングチャート。
【図５】シフトゲートパルスの印加回数およびタイミングを決定する処理のフロー図。
【図６】シフトゲートパルスのタイミングチャート。
【図７】シフトゲートパルスのタイミング及び電荷蓄積量を示す図。
【図８】従来例におけるシフトゲートパルスのタイミングチャート。
【図９】従来例におけるシフトゲートパルスのタイミング及び電荷蓄積量を示す図。
【符号の説明】
【００６６】
１０…イメージスキャナ、１２…筐体、１４…原稿台、１６…ガイド、２０…ＣＣＤカラーイメージセンサ、２２、３８…光源、２４…キョリッジ、３０…光学系、３４…ミラー、３６…集光レンズ
【図１】
2007158500.tif 000003
【図２】
2007158500.tif 000004
【図３】
2007158500.tif 000005
【図４】
2007158500.tif 000006
【図５】
2007158500.tif 000007
【図６】
2007158500.tif 000008
【図７】
2007158500.tif 000009
【図８】
2007158500.tif 000010
【図９】
2007158500.tif 000011